(57)【特許請求の範囲】
【請求項１】
主回路と、該主回路に第１の受電電圧を選択的に接続する第１の長コンタクトと、該第１の長コンタクトの接続に遅れて電流制限手段を介して第２の受電電圧を該主回路に選択的に接続する第２の中コンタクトと、該主回路に第２の中コンタクトの接続に遅れて、第２の受電電圧を選択的に接続する第３の短コンタクトと、該第１の長コンタクトと第２の中コンタクトの間に接続され、該第２の中コンタクトが接続されてから該第３の短コンタクトが接続されるまでの間、該主回路の動作を停止状態に保持するラッチ手段を備えたことを特徴とする電流制限機能を備えた電源装置。
【請求項２】
該第３の短コンタクトの接続によりラッチ手段を解放するようにしたことを特徴とする請求項１の電流制限機能を備えた電源装置。
【請求項３】
互いにベースとコレクタが共通接続された第１のトランジスタと第２のトランジスタを有し、該第１のトランジスタのエミッタは、第１の受電電圧端に接続され、コレクタは第２の受電電圧端の電流制限手段の一端に接続され、又、第２のトランジスタのエミッタは該第２の受電電圧端の電流制限手段の他端に接続され、且つ該第１のトランジスタと連動して該主回路を運転又は停止せしめるスイッチより成るラッチ手段を備えたことを特徴とする請求項１又は２の電流制限機能を備えた電源装置。
【請求項４】
該第１のトランジスタのエミッタと第１の受電電圧端にツェナーダイオードを接続したことを特徴とする請求項３の電流制限機能を備えた電源装置。
【請求項５】
該第２のトランジスタのエミッタ、コレクタ間に並列に時定数回路を設けたことを特徴とする請求項３又は請求項４の電流制限機能を備えた電源装置。
【請求項６】
該スイッチとしてホトカプラーを用いたことを特徴とする請求項３、請求項４又は請求項５の電流制限機能を備えた電源装置。
【発明の詳細な説明】
【０００１】
【産業上の利用分野】
本発明は、突入電流を防止し得る電流制限機能を備えた電源装置および電子機器に関する。
【０００２】
【従来の技術】
電源装置を含む電子機器をコネクタのような電気接続器により入力電源系統に接続する場合、電子機器の入力側キャパシタンスに突入電流が流れないように、種々の方法によって突入電流を抑制することにより、電気接続器の接点の損傷防止、半導体素子などの破壊の防止、及び入力電源系統への悪影響の低減などを図っている。
【０００３】
現在、通信用装置などで用いられている簡便な突入電流抑制方法として、長さの違うコネクタピンによる接触時間差、つまり接続時間差を利用する方法がある。図２は、このような従来の接続構成（特開平７−２６９２００）について説明するものであり、オンボード電源のような電源は主回路１１の一端に固定された接触時間差機能を備えた特殊なプラグコネクタをレセプタクルコネクタ（図示せず）に接続することによって他機器と接続される。一般にプラグコネクタＣＮＴとレセプタクルコネクタとで電気接続器を構成する。接触時間差機能を備えた電気接続器のプラグコネクタＣＮＴは長ピン１と、中ピン２と、一対の短ピン３および４を有している。中ピン２は抵抗のような電流制限手段５を通して受電電圧を受けるコネクタピンとなり、その他端は主回路１１の受電端子Ｔ1に接続され る。長ピン１は接地電圧に接続される接地コネクタピンとなり、その他端は主回路１１の接地他端Ｔ2に接続される。そして短ピン３は受電電圧に接続される受 電コネクタピンとなり、その他端は電流制限手段の一端ａに接続される。
【０００４】
また他方の短ピン４は受電端子Ｔ1に接続された主回路１１の起動用スイッチ としてのＭＯＳＦＥＴ９のゲート端子に接続される。なお、図中７、８は抵抗、６はコンデンサ、１０は主回路用入力コンデンサである。
【０００５】
このような構成の電源装置において、まずＧ端子１（長ピン）が接続され、その後−４８Ｖ端子２（中ピン）が接続されると、入力コンデンサ１０、入力ラインスイッチＦＥＴ９のドレイン・ソース間の寄生容量、並びに抵抗５を介して瞬時に突入電流が流れ込む。この電流のピーク値は入力電圧と抵抗５で決まる。入力コンデンサ１０の電圧が上昇し、充電は完了する。その後、遅れて短ピン４と短ピン３が接続されると、抵抗５が短絡された状態で入力ラインスイッチＦＥＴ９がオンし、主回路１１が動作する。
【０００６】
このような従来装置においては、−４８Ｖ端子３が接続された後に端子４が接続されれば問題ないが、２つの短ピンは同じ長さなので、端子４が−４８Ｖ端子３よりも先に接続された場合、抵抗８と抵抗７とコンデンサ６からなる時定数でコンデンサ６に充電され、コンデンサ６の電位がＦＥＴ９のしきい値電圧（約３Ｖ）になるとＦＥＴ９はオンし、主回路１１が動作を開始して、出力電力に必要な入力電流が流れ込む。その際、端子４が接続されてから、−４８Ｖ端子３が接続されるまでの間、抵抗５に流れる入力電流による電圧降下が発生するため、主回路１１の動作が不安定となる。又電気接続器は、入力プラス端子１と入力ラインスイッチＦＥＴ９用制御端子４、及び入力電流制限抵抗付き入力マイナス端子２と入力電流制限抵抗なし入力マイナス端子３の４本の端子（コンタクト）を要し、三本型のコンタクトには適用できない。
【０００７】
【発明が解決しようとする課題】
このように従来のものはコンタクトの接続操作時に主回路１１の動作不安定となる場合があり、又コンタクトは４本を必要とし、三本コンタクトには適用できない。
【０００８】
本発明は、三本のみのコネクタを備えた電気接続器を通じて受電する電力が動作する電源装置であって主回路への電流制限手段の安定した投入及び開放と活線挿入時の主回路の発振状態を防止した安定した運転及び停止を図った電源装置の提供を目的とする。
【０００９】
【課題を解決するための手段】
前述のような問題を解決するため、請求項１の発明は、主回路と、該主回路に第１の受電電圧を選択的に接続する第１の長コンタクトと、該第１の長コンタクトの接続に遅れて電流制限手段を介して第２の受電電圧を該主回路に選択的に接続する第２の中コンタクトと、該主回路に第２の中コンタクトの接続に遅れて、第２の受電電圧を選択的に接続する第３の短コンタクトと、該第１の長コンタクトと第２の中コンタクトの間に接続され、該第２の中コンタクトが接続されてから該第３の短コンタクトが接続されるまでの間、該主回路の動作を停止状態に保持するラッチ手段を備えたことを特徴とする電流制限機能を備えた電源装置を提供する。
【００１０】
【実施例】
図１は本発明の一実施例回路図で従来例と同一符号は同等部分を示す。本発明の電気接続器は長ピン（コンタクト）１と中ピン２と短ピン３の長、中、短の三本のコンタクトを備えており、長ピン１の他端は主回路１１の受電端子Ｔ2に接 続され、中ピン２は電流制限抵抗５を介して他方の受電端子Ｔ1に接続される。 また、短ピン３の他端は電流制限抵抗５の一端ａに接続される。次にＬＡＨは本発明の要部を構成するラッチ手段で長ピン１と中ピン２との間に接続されている。１７及び、１５は夫々ベースとコレクタが共通接続されたＰＮＰ形トランジスタ及びＮＰＮ形トランジスタで、トランジスタ１７のエミッタは長ピンを介して第１の受電電圧端に接続され、そのコレクタは抵抗１８及び１６を介して中ピン２に接続された電流制限抵抗５の一端ａに接続されている。
【００１１】
トランジスタ１５のコレクタは抵抗１４を通してトランジスタ１７のベースに接続され、エミッタは電流制限抵抗５の他端ｂに接続されている。２０は主回路を運転又は動作停止せめるスイッチとしてのトランジスタでそのベースは抵抗１９を介してトランジスタ１７のコレクタ端に接続され、コレクタ、エミッタは端子Ｔ3、端子Ｔ1間に接続されている。
【００１２】
この実施例の動作は、先ず端子１が接続され、その後−４８Ｖ端子２が接続されると、入力コンデンサ１０、抵抗５を介して突入電流が流れ込む。この電流のピーク値は入力電圧と抵抗５で決まる。
これと同時に、トランジスタ１７のベース電流が抵抗１４、抵抗１２を介してコンデンサ１３を充電すべく電流を流し、トランジスタ１７はコレクタ電流を流す。
このコレクタ電流は抵抗１８、抵抗５に流れると共に、抵抗１６を介してトランジスタ１５にベース電流を流す。
また、抵抗１９を介してトランジスタ２０にベース電流を流すことで、トランジスタ２０をオンし、主回路１１への受電電圧を短絡又は、開放し該主回路１１を動作停止状態とさせることができる。ここで抵抗１８と抵抗５の比はトランジスタ１５に十分なベース電流を流せるように設定する必要がある。
トランジスタ１５がオンすると、コンデンサ１３に充電されていた電荷を抵抗１２を介し放電させると共に、抵抗１４を介し、トランジスタ１７のベース電流を流し、トランジスタ１７はオン状態を維持する。（ラッチ状態）
この状態により、主回路１１は−４８Ｖ端子２が接続されてから、−４８Ｖ端子３が接続されるまでの間、動作することはない。
【００１３】
その後、−４８Ｖ端子３が接続されると、抵抗５は−４８Ｖ端子３を介して外部で短絡される。
これにより、トランジスタ１７より抵抗１８、抵抗１６を介して流れ込んでいたトランジスタ１５のベース電流は、すべて−４８Ｖ端子３へ流れ込み、トランジスタ１５はオフする。
これによりトランジスタ１７のベース電流は抵抗１４、抵抗１２を介しコン  デンサ１３に、その時定数で再び充電を開始する。その後、コンデンサ１３への充電電流が減少してくると、トランジスタ１７がオン状態を保持できなくなりオフし、トランジスタ１７のコレクタの電位はローレベル（−４８Ｖ）となる。
このため、トランジスタ２０はオフし、主回路１１が動作を始める。この時には既に抵抗５は短絡されているため、主回路１１の入力電流は−４８Ｖ端子３を流れ、従来の問題点（不安定動作）は解決される。
【００１４】
即ち、長ピン１、中ピン２及び短ピン３の全てのコンタクトが接続された後、時定数回路の抵抗１２、１４及びコンデンサ１３の時定数の設定によりトランジスタ１７は所定時間オン状態を保つ。従ってこの時定数の調整によりスイッチ２０を介して主回路の動作開始時期を任意に設定できる。又、ツェナーダイオード２１は主回路１１が動作開始後、入力電圧が変動（上昇）した場合にトランジスタ１７の誤動作（オン）による主回路の運転停止等を防止する。
又、抵抗１２はトランジスタ１５がオンする際に、コンデンサ１３の放電電流を制限するためのもの。
トランジスタ２０の代わりにフォトカプラ等で主回路１１の絶縁制御も可能である。
【００１５】
本発明の特徴は、入力電流制限抵抗５を用いて突入電流を抑制すると共に、その状態を維持する回路と主回路１１の制御をする回路を持ち、−４８Ｖ端子３の接続により前記回路の維持を解除して、任意の時定数後に主回路１１の動作を開始させる。
入力に使用するピン長・中・短の３本で構成でき、尚かつ、端子接続作業の途中であっても主回路１１が発振状態とならない。
コンデンサ１３の接続により、トランジスタ１７を瞬時オンさせることができ、入力電流制限のラッチ回路を構成した。またその後トランジスタ１５のオンにより、前記瞬時オン時に蓄えられたコンデンサ１３の電荷を放電させることができる。
−４８Ｖ３端子を接続することで、ラッチ回路が解除される。
トランジスタ１７のコレクタに主回路１１の動作を制御する回路を接続することで、抵抗５が入力ライン上に入ったまま主回路が動作することはない。
抵抗１２と抵抗１４とコンデンサ１３の定数選定により、−４８Ｖ端子３が接続されてから主回路１１が動作するまでの時間を任意に選択できる。
【００１６】
【発明の効果】
本発明は、三本のみコンタクトを備えた電気接続器を通じて受電する電力で動作する電源装置であって主回路への電流制限手段の安定した投入及び開放と活線挿入時の主回路の発振状態を防止した安定した運転及び停止を図った電源装置を提供できる。
【図面の簡単な説明】
【図１】本発明の一実施例を説明するための図である。
【図２】従来例を説明するための図である。
【符号の説明】
ＣＮＴ      プラグコネクタ
１          長コンタクト（ピン）
２          中コンタクト（ピン）
３，４      短コンタクト（ピン）
５          電流制限抵抗
ＬＡＨ      ラッチ手段
９          ＭＯＳＦＥＴ
１０        入力コンデンサ
１１        主回路
１２        抵抗
１３        コンデンサ
１５，１７  トランジスタ
２０        スイッチ（トランジスタ）
２１        ツェナーダイオード
【図１】
0003841193.tif 000002
【図２】
0003841193.tif 000003